(57)【特許請求の範囲】
【請求項１】
ＳＩＭロックが施されていないＵＳＡＴ機能対応端末に装着される汎用加入者識別モジュール（ＵＳＩＭ）であって、
端末識別情報のリストが予め記憶されたデータベースと、
端末からの通電を契機として、当該端末から端末識別情報を取得する情報取得手段と、
情報取得照合手段が取得した端末識別情報を前記リストと照合する情報照合手段と、
情報取得照合手段が取得した端末識別情報が前記リストに含まれない場合に、端末に対して所定のプロアクティブコマンドを発行するコマンド発行手段と、
を備える汎用加入者識別モジュール（ＵＳＩＭ）。
【請求項２】
請求項１に記載の汎用加入者識別モジュール（ＵＳＩＭ）であって、
前記端末識別情報はＩＭＥＩである
ことを特徴とする汎用加入者識別モジュール（ＵＳＩＭ）。
【請求項３】
ＳＩＭロックが施されていないＵＳＡＴ機能対応端末に装着される汎用加入者識別モジュール（ＵＳＩＭ）主導によるサービス実現方法であって、
汎用加入者識別モジュール（ＵＳＩＭ）のデータベースに端末識別情報のリストが予め記憶され、
前記汎用加入者識別モジュール（ＵＳＩＭ）の情報取得手段が、端末からの通電を契機として当該端末から端末識別情報を取得する情報取得ステップと、
前記汎用加入者識別モジュール（ＵＳＩＭ）の情報照合手段が、情報取得ステップで取得した端末識別情報を前記リストと照合する情報照合ステップと、
前記汎用加入者識別モジュール（ＵＳＩＭ）が、情報取得ステップで取得した端末識別情報が前記リストに含まれない場合に、端末に対して所定のプロアクティブコマンドを発行するコマンド発行ステップと、
を実行する汎用加入者識別モジュール（ＵＳＩＭ）主導によるサービス実現方法。
【請求項４】
請求項３に記載の汎用加入者識別モジュール（ＵＳＩＭ）主導によるサービス実現方法であって、
前記端末識別情報はＩＭＥＩである
ことを特徴とする汎用加入者識別モジュール（ＵＳＩＭ）主導によるサービス実現方法。
【発明の詳細な説明】
【技術分野】
【０００１】
本発明は、携帯端末に装着することで通信サービスを利用可能とする、汎用加入者識別モジュール（ＵＳＩＭ）およびＵＳＩＭ主導によるサービス実現方法に関する。
【背景技術】
【０００２】
携帯電話端末の利用に際しては、電話番号やネットワークの情報が入っている汎用加入者識別モジュール(ＵＳＩＭ：Universal Subscriber Identity Module)が端末に装着される。我が国においては、携帯電話端末は特定の事業者のＵＳＩＭしか使えないようになっているのが一般的である。この状態をＳＩＭロックと呼ぶ。しかし、最近はＳＩＭロックフリー端末、すなわちＳＩＭロックが施されていない端末が増加傾向にあり、事業者がネットワーク、携帯端末(ＭＥ：Mobile Equipment）、ＵＳＩＭの全てをコントロールして事業者独自のサービスを提供することが難しくなってきている。このような問題を解決する手段として、３ＧＰＰ(3rd Generation Partnership Project)  ＴＳ３１．１１１（非特許文献１）で規定されているＵＳＡＴ(USIM Application Toolkit)機能という標準仕様がある。ＵＳＡＴ機能によれば、ネットワークから発行されたコマンドを契機として、ＵＳＩＭが主導的に端末に対して動作を指示することが可能である。
【先行技術文献】
【非特許文献】
【０００３】
【非特許文献１】３ＧＰＰ  ＴＳ３１．１１１
【発明の概要】
【発明が解決しようとする課題】
【０００４】
ＵＳＩＭが主導的に端末に対して動作を指示する手段を用いる場合、従来のＵＳＡＴ機能ではネットワークからのコマンド発行が必要なため、ＵＳＩＭだけでなくネットワークサーバにも機能追加が必要になる。そのため工数が大きくなり、これが実現に向け大きな障壁となっている。
【０００５】
本発明の目的は、ＳＩＭロックフリー端末に装着するだけで、当該端末に対して事業者独自のサービスを提供することを可能とする汎用加入者識別モジュール（ＵＳＩＭ）およびＵＳＩＭ主導によるサービス実現方法を、簡易かつ低コストに実現することにある。
【課題を解決するための手段】
【０００６】
本発明の汎用加入者識別モジュール（ＵＳＩＭ）は、ＳＩＭロックが施されていないＵＳＡＴ機能対応端末に装着されるＵＳＩＭであって、端末識別情報のリストが予め記憶されたデータベースと、端末の電源ＯＮを契機として当該端末から端末識別情報を取得する情報取得手段と、情報取得手段が取得した端末識別情報を前記リストと照合する情報照合手段と、情報取得手段が取得した端末識別情報が前記リストに含まれない場合に端末に対して所定のプロアクティブコマンドを発行するコマンド発行手段と、を備える。
【発明の効果】
【０００７】
本発明の汎用加入者識別モジュール（ＵＳＩＭ）およびＵＳＩＭ主導によるサービス実現方法によれば、ＵＳＩＭのみへの機能追加により、簡易かつ低コストで、ＵＳＩＭが主導的に端末に対して動作を指示することが可能となる。そのため、ＳＩＭロックフリー端末に本発明のＵＳＩＭを装着するだけで、事業者独自のサービスを提供することが可能となる。
【図面の簡単な説明】
【０００８】
【図１】汎用加入者識別モジュール（ＵＳＩＭ）１００の構成例を示す図。
【図２】汎用加入者識別モジュール（ＵＳＩＭ）１００の処理フロー例を示す図。
【図３】ＵＳＩＭ主導によるサービス実現方法の全体シーケンスの例を示す図。
【発明を実施するための形態】
【０００９】
図１に本発明の汎用加入者識別モジュール（ＵＳＩＭ）１００の構成例を、図２にそれを用いたサービス実現方法における処理フロー例を示す。
【００１０】
汎用加入者識別モジュール（ＵＳＩＭ）１００は、ＳＩＭロックが施されていない端末１０に装着されるＵＳＩＭであり、データベース１１０と情報取得手段１２０と情報照合手段１３０とコマンド発行手段１４０とを備える。なお、端末１０は、３ＧＰＰ  ＴＳ３１．１１１で規定されたＵＳＡＴ機能を備えているものとする。
【００１１】
データベース１１０は、事業者独自のサービス提供に際してソフトウェアの更新が不要な端末の端末識別情報のリストを予め記憶する。端末識別情報としては、例えばＩＭＥＩ(International Mobile Equipment Identity)を利用することができる。
【００１２】
情報取得手段１２０は、端末１０からの通電、あるいは３ＧＰＰやＥＴＳＩ等の標準規格で規定された端末起動時のＵＳＩＭ内部ファイル読み出しコマンドの受信を契機として、端末１０から端末識別情報を取得する（Ｓ１）。
【００１３】
情報照合手段１３０は、情報取得手段１２０で取得した端末識別情報がリストに含まれているか否かを照合し、リストに含まれている場合は事業者独自のサービス提供に際してソフトウェアの更新が不要な端末であるとして処理を終了し、リストに含まれていない場合はその旨をコマンド発行手段１４０に対し通知する（Ｓ２）。
【００１４】
コマンド発行手段１４０は、情報照合手段１３０から情報取得手段１２０で取得した端末識別情報がリストに含まれていない旨の通知があった場合、３ＧＰＰ  ＴＳ３１．１１１で規定された所定のプロアクティブコマンドを端末に対して発行する（Ｓ３）。
【００１５】
図３に本発明の汎用加入者識別モジュール（ＵＳＩＭ）１００主導によるサービス実現方法の全体シーケンスの例を示す。端末１０が起動されると、ネットワーク２０に端末１０の位置登録がされるとともに、汎用加入者識別モジュール（ＵＳＩＭ）１００に通電され、これを契機に情報取得手段１２０は端末１０から端末識別情報を取得する（Ｓ１）。続いて、情報照合手段１３０がリストとの照合を行い（Ｓ２）、取得した端末識別情報がリストに無い場合、コマンド発行手段１４０がプロアクティブコマンド(Displaytext、GetInkeyなど)を端末１０に発行する（Ｓ３）。端末１０はそれを受け、例えば「事業者設定を行いますか？  はい／いいえ」というようなダイアログを端末上に表示し、利用者が「はい」を選択した場合、コマンド発行手段１４０が再度、プロアクティブコマンド(LaunchBrowserなど)を端末１０に発行する。端末１０はそれを受け、ブラウザを起動して事業者指定サイトに接続し画面表示する。そして、利用者が画面表示されたサービス内容を選択することにより、事業者サービス用のアプリケーションがネットワーク２０から端末１０に一括インストールされる。
【００１６】
以上のように、本発明の汎用加入者識別モジュール（ＵＳＩＭ）１００およびＵＳＩＭ主導によるサービス実現方法によれば、ＵＳＩＭのみへの機能追加により、簡易かつ低コストで、ＵＳＩＭが主導的に端末に対して動作を指示することが可能となる。そのため、ＳＩＭロックフリー端末に対して、本発明のＵＳＩＭを装着するだけで、事業者独自のサービスを提供することが可能となる。
【００１７】
なお、新たな端末が次々と発表され、また既に流通している端末にも機能が追加される場合がある今日では、データベース１１０の端末識別情報のリストは逐次更新されることが望ましい。そこで例えば、端末１０にネットワーク２０へリストの更新の問い合わせをさせるコマンドをコマンド発行手段１４０に発行させるための指示を、コマンド発行手段１４０に定期的に与える更新手段１５０を追加し、得られた更新リストによりデータベース１１０のリストを更新する方法が考えられる。また、コマンド発行手段１４０に、情報照合手段１３０で端末識別情報がデータベース１１０に記憶されたリストに含まれていないと判定された際に端末１０にネットワーク２０へリストの更新の問い合わせをさせるコマンドを発行する機能を追加する方法も考えられる。この場合、更新問い合わせのためのコマンドを発行（Ｓ４）した結果、更新リストが得られた場合にはこれによりデータベース１１０のリストを更新する（Ｓ５）。そして、情報照合手段１３０は再度、情報取得手段１２０で取得した端末識別情報がリストに含まれているか否かを判定し、リストに含まれている場合は処理を終了し、リストに含まれていない場合にはコマンド発行手段１４０に対してその旨を通知し（Ｓ２）、コマンド発行手段１４０は、所定のプロアクティブコマンドを端末に対して発行する（Ｓ３）。一方、更新リストが得られなかった場合は、所定のプロアクティブコマンドを端末に対して発行する（Ｓ３）。
【００１８】
以上説明した、本発明の汎用加入者識別モジュール（ＵＳＩＭ）１００の構成要素の機能分担及び処理手順は、上記の機能分担及び処理手順に限定されるものではなく、本発明を逸脱しない範囲で適宜変更が可能である。
【図１】
0005530390.tif 000002
【図２】
0005530390.tif 000003
【図３】
0005530390.tif 000004